(57)【特許請求の範囲】
【請求項１】
建物内部にレイアウトされる什器その他の室内設備の所定縮尺平面シートであって表面に該室内設備の寸法情報を有する磁性シートと、該磁性シートが磁着可能な板状体と、前記建物内部の所定縮尺平面図であって前記板状体に取着され前記建物内部を表す領域内に縦横方向の罫線を有する平面図とを備えた建物内レイアウト設計用具を用い、
所定縮尺寸法の建物内部のレイアウトをプレゼンテーションする機能と、実際の建物内部に什器その他の室内設備機材をレイアウトする際に用いる設計図面を作成する機能とを兼ね備えた建物内レイアウト設計図面の作成方法であって、
前記板状体に、前記平面図を取着する工程と、
前記板状体の平面図上に、前記磁性シートを当該平面図の罫線に基いて着脱可能に配置する工程と、
前記磁性シートが配置された平面図を複写機で複写して、前記建物内部の壁と前記室内設備機材の間隔を示す寸法又は前記室内設備機材間の間隔を示す寸法が前記罫線で表された設計図面を作成する工程と、
を有することを特徴とする建物内レイアウト設計図面の作成方法。
【発明の詳細な説明】
【０００１】
【発明の属する技術分野】
本発明は、店舗、事務所等の建物内部のレイアウト設計に用いられる設計図面を作成する設計方法に係り、特にレイアウト設計の修正に係る変更が、手間なく、簡単かつ容易にできる建物内レイアウト設計方法に関するものである。
【０００２】
【従来の技術】
従来の設計方法に用いられる設計用具は、ＣＡＤ（Computer Aided Design）装置やドラフター等があり、ＣＡＤ装置であれば、その応用技術として、設計者の操作により、画面上に所定縮尺寸法の建物内部を表す平面図を表示して、その上に縮尺比率が前記平面図と同一の陳列棚や冷蔵ショーケース等の店舗用什器を表す什器縮尺図を自在に重ねて書き込み、レイアウト設計されていた。また、このような店舗用レイアウト設計に限らず、事務所や一般家庭の模様替え等にもこのような装置が用いられることがあり、一般的なソフトウエアも市販されている。
【０００３】
また、上記ソフトウエアをインストールしたノートブックパソコンを携帯し、このパソコン画面上に平面図を表示しながら、打合せをし、同時に修正することも考えられる。
【０００４】
他方、このようなＣＡＤ装置によらない手段として、発泡スチロールからなる板状体の表面に、所定縮尺寸法の建物内部を表す平面図を貼り付けて、その平面図に、縮尺比率が前記平面図と同一の什器等を表す什器表示紙を載置し、その上から昆虫採集のように針で突き刺してレイアウトしていく手段が考えられる。
【０００５】
上記ＣＡＤ装置等によれば、建物内レイアウト設計に着手する前に、設計を依頼する依頼者の意向を十分に理解した上で設計すれば、その後は設計者単独がコンピューター等を操作して設計図面を完成させることが可能である。
【０００６】
また、上記ノートブックパソコンによる手段によれば、大型の機器がないので、携帯性に優れ打合せ等に持参することができ、さらに、依頼者と設計者とが打合せをしながら、同時に画面上に設計図面をドラフトさせることができる。
【０００７】
そして、上記ＣＡＤ装置を用いない針を用いた手段によれば、この針を刺すことによって平面図上に什器表示紙をレイアウトして建物内レイアウトを設計できるから、ＣＡＤを操作するというコンピューター操作技術等の高度な技術を有しなくても建物内レイアウトを設計することができ、設計者でなく依頼者自らが建物内レイアウトを設計することもできる。
【０００８】
【発明が解決しようとする課題】
しかしながら、上記ＣＡＤ装置によれば、その装置が大型で携帯不可能であるから、設計着手以後に、依頼者から修正又は変更依頼があると、そのたびに打合せに赴き、設計事務所まで立ち返ってドラフトし、再度打合せに赴くという手間を繰り返すことを余儀なくされ、多大な打合せ時間と回数がかかり、修正経費が嵩んでしまっていた。
【０００９】
また、上記ノートブックパソコンを用いた手段によれば、一般にノートブックパソコンの画面はＢ５〜Ａ４サイズであり、これに対して設計図面はＡ２〜Ａ１サイズであるから、これを画面上に表示させると、その一部分しか表示されず全体像がとらえにくく、また全体を表示させると縮小表示のため細かいところが潰れてしまい、役に立たない。さらに、コンピューター操作による設計製図をするには、高度な操作技術が必要であり、誰でもが簡単にできるものではない。また、設計内容の確認やチェックは、画面上ではなく設計図面をプリントアウトして行われており、そのためにはプリンターが必要であるが、打合せ現場には必ずしもプリンターがあるわけではなく、対応不可の場合がある。
【００１０】
また、上記針を用いる手段によれば、設計図面を作成するには、やはり、その建物内レイアウトを基にして、上記ＣＡＤ装置を使用するか、ドラフターを用いて製図しなければならず、煩雑であった。また、変更回数が多くなると、発泡スチロールや平面図に定常的に穴が空いてしまい、針を固定できなくなるため、使えない。そして、構成部材が、そもそも発泡スチロールからなる板状体、平面図、什器表示紙、針と、非常に多い。また、その使用方法は、誤ってその針で指を突き刺したりするなど危険な面があるし、また、いちいちボックス等から取り出して作業しなければならず、面倒である。
【００１１】
そこで、本発明は以上のような問題点に鑑みてなされたものであり、本発明の目的は、打合せ時間や回数を短縮でき、かつ建物内レイアウトの全体像を視認しながらコンピューター操作技術を有しなくても容易にまた迅速に（瞬時に）レイアウトすることができるとともにプリンターがなくても設計図面を作成することができ、かつ安全に、穴が空くことなく何度でも依頼者がその設計変更を自由に行うことができる、店舗、事務所等の建物内部のレイアウト設計方法を提供することである。
【００１２】
【課題を解決するための手段】
上記課題を解決するため、本発明が採った手段は、図面に使用する符号を付して説明すると、「所定縮尺寸法の建物内部のレイアウトをプレゼンテーションする機能と、実際の建物内部に什器その他の室内設備機材をレイアウトする際に用いる設計図面を作成する機能とを兼ね備えた建物内レイアウト設計方法であって、磁性体が磁着可能な板状体１１に、縮尺比率が前記所定縮尺寸法の建物内部と同一の所定間隔を示す罫線が前記所定縮尺寸法の建物内部を示す領域内に縦横方向に記載された平面図１２を取着する工程と、前記平面図１２上に、前記什器その他の室内設備機材を表すものであって縮尺比率が前記平面図１２と同一の磁性シート１３を着脱可能にレイアウトする工程と、前記磁性シート１３がレイアウトされた平面図１２を複写機で複写して、前記実際の建物内部の壁と前記室内設備機材の間隔を示す寸法又は前記室内設備機材間の間隔を示す寸法が前記罫線で表される設計図面１４を作成する工程と、を有する」ことを特徴とする。
【００１９】
これによれば、平面図１２により所定縮尺寸法の建物内部が表され、磁性シート１３により縮尺比率が平面図１２と同一の室内設備機材が表され、これらを用いて、板状体１１に平面図１２が取着され、さらにその上から磁性シート１３が磁性により着脱可能に取り付けられるので、この磁性によってその板状体１１をたとえ逆さまにしても磁性シート１３が移動することが防止され、プリンターがなくても、板状体１１をひっくり返してコピー機に載置し、コピーして設計図面１４を容易かつ瞬時に作成できる。したがって、打合せ中に設計から設計図面１４作成まで容易かつ迅速に（瞬時に）できる。また、ＣＡＤ装置やドラフター等の機器は使用しないので、高度な操作技能や製図技能は必要ない。さらに、磁性により、板状体１１上の平面図１２に磁性シート１３を離着させて建物内レイアウトの設計及び変更がなされるから、針を用いておらず何度でも使用することができ、かつ安全である。
【００２０】
【発明の実施の形態】
本発明の実施の形態を実施例に基づき図面を参照して説明する。図１は、本発明の一実施例である建物内レイアウト設計用具１０を示す斜視図である。
【００２１】
建物内レイアウト設計用具１０は、磁性体が磁着可能な板状体１１と、その板状体１１上に取着される所定縮尺寸法の建物内部を表す平面図１２と、その平面図１２上にレイアウトされる前記平面図１２と縮尺比率が同一の什器その他の室内設備機材を表す磁性シート１３とからなる。
【００２２】
板状体１１は、磁性体が磁着可能なものであり、その表面に平面図１２を取着するためのものである。例えば、金属製板状体やホワイトボード等が挙げられる。軽量なものであれば、携帯性があり便利である。なお、その形状は、平面図１２全体を取着できる取着面積を有する形状であれば、いかなる形状であっても良い。
【００２３】
平面図１２は、設計対象である建物内部の平面を表すものであり、所定の縮尺寸法に作成してある。この所定縮尺寸法は、例えば１／１００寸法が使用され、その作成は、実際の建物内部をこの縮尺寸法で製図又はコピーして作成してある。勿論、平面図１２の所定縮尺寸法は、１／１００寸法に限られず、他の縮尺寸法であっても良い。
【００２４】
磁性シート１３は、什器その他の室内設備機材を表すものであり、磁性を有する磁性体をシート状に形成し、平面図１２と同一の縮尺比率の所定縮尺寸法に作成してある。例えば、公知の技術であるマグネットシート等を、室内設備機材の約１／１００寸法に切断して形成してある。ここで、什器とは、陳列棚や冷蔵ショーケースなどの店舗用什器、その他工業用什器をいう。なお、室内設備機材は、建物内部で使用される室内用の設備機材であれば良く、什器以外のものが含まれ、例えば、建物内をいくつかの部分に隔てるための間仕切壁、備品が含まれる。
【００２５】
次に、この建物内レイアウト設計用具１０を使用して、建物内レイアウトの設計方法について説明する。まず、平面図１２を、板状体１１の表面に製図用マグネット等で四辺を固定して取着する。
【００２６】
そして、その平面図１２の上から、磁性シート１３を指又はピンセット等で取り付けてレイアウトしていく。レイアウト位置を修正したり変更する場合には、同様にして指又はピンセット等で磁性シート１３を取り外したり、その位置を変えて取り付ける。この際、この磁性シート１３が離着される平面図１２の建物内部を示す領域には、図２に示すように、４５０ｍｍの所定縮尺寸法に相当する間隔で縦横方向に罫線が記載されていると、寸法線がなくてもレイアウト間隔が容易にわかる。例えば、レイアウト間隔が罫線４本分であれば、その間隔は１８００ｍｍであるとすぐわかる。勿論、当該間隔は、４５０ｍｍでなくても良く、例えば３００ｍｍであっても良く、その他いかなる寸法であっても良い。
【００２７】
さらに、一旦設計内容が確定した場合には、図３に示すように、この板状体１１をコピー機によりコピーして設計図面１４を作成する。さらに、この設計図面１４に基づいて、レイアウト作業される室内設備機材を準備し、設計図面１４に基づいて、建物内部にその室内設備機材をレイアウト作業する。
【００２８】
このように、建物内レイアウト設計用具１０によれば、板状体１１と平面図１２と磁性シート１３とからなり、ＣＡＤ装置やドラフターのような大型機器はないので、容易に携帯できる。よって、打合せに持参することができ、そしてその打合せをしながら、同時に建物内レイアウトをドラフトすることができる。その際、板状体１１全体を一度に視認することができ、直感的にレイアウトのイメージをつかみながら設計でき、平面図１２に取り付けたり、取り外すことにより建物内レイアウトを設計できるから、設計のためのコンピューター操作技能や製図法の高度の知識等は必要ない。このため、依頼者自身が、容易かつ簡単にそして自由に気に入った建物内レイアウトを設計又は設計変更することができ、よって打合せの時間や回数を短縮することができ、短期間であるいは瞬時に設計できる。さらに、上記３部材からなり、部材は少なくて済み、針等の危険なものはないから安全にレイアウトすることができる。
【００２９】
さらに、磁性シート１３は、平面図１２上にレイアウトされて磁性により板状体１１にしっかりと取り付けられてたとえ逆さまにしてもそのレイアウトが変化することがないので、上記設計方法のごとく、板状体１１の平面図１２側をコピー機でコピーして設計図面１４を簡単に作成することができる。さらに、このようにして作成された設計図面１４は、磁性シート１３がシート状であるので、その表面はしっかりと表示されており、その輪郭には影が表示されるから立体的に見える。これにより、例えば設計図面１４を参照して、建物内部に室内設備機材をレイアウト作業をする場合に、感覚的にかつ３次元的にそのイメージをつかみやすい。
【００３０】
さらに、図４に示すように、磁性シート１３には、室内設備機材の縦・横・高さの各寸法が記載されていると、諸元表等を見なくてもこの磁性シート１３を一見しただけでその寸法がわかる。さらに、上記設計方法のごとく、板状体１１をコピーして設計図面１４を作成する場合には、設計図面１４上にその寸法が記載されることになり、当該寸法を設計図面１４に記載する手間がない。さらに、建物内レイアウトを設計する際に、その寸法がわかりやすいし、設計図面１４に基づいてレイアウト作業する際に、誤った寸法の室内設備機材をレイアウト作業することを防止できる。また、一般的な諸元表等のように別紙添付ではなく、直接記載されているから、紛失の危険もない。なお、この所定情報には、品名や付属品等の記載も該当し、この場合には、品名等により、レイアウト作業するものを特定でき、便利である。例えば、ネットと記載されていることにより、ネット付陳列棚であることが容易にわかり、什器等の品名や付属品の間違いがない。
【００３１】
さらに、磁性シート１３は、少なくともその表面が着色されていると、平面図１２上のレイアウトがその着色により一見して直感的にわかりやすい。特に、例えば多色を用い什器等の種類に基づいて色分けした場合には、この色分けによって当該種類を直感的に理解することができる。さらに、上記設計方法のコピー機をカラーコピー機とし、板状体１１をカラーコピーした場合には、設計図面１４もカラー表示され色区別がされるので、実際のレイアウト作業時に瞬時にその種類がわかり、作業の効率が良い。
【００３２】
以上、実施例に基づいて本発明を説明したが、本発明は上記実施例に何ら限定されるものではなく、本発明の趣旨を逸脱しない範囲内で種々の改良変形が可能である。
【００３３】
【発明の効果】
請求項１記載の建物内レイアウト設計方法によれば、コンピューター操作その他の高度な技術を有しなくてもドラフトすることができ、さらに依頼者が設計や設計変更を自由に行うことができ、よって打合せ時間や回数を短縮でき、かつ、容易に瞬時にプリンターがなくてもコピー機ですぐさまその設計図面を容易に作成できる。さらに、磁性により離着するので、穴が空くことがなく何度でも使用でき、さらに針の危険性もなく安全にレイアウト設計でき、部材も少なくて良い。
【図面の簡単な説明】
【図１】    本発明に係る建物内レイアウト設計用具を示す斜視図である。
【図２】    建物内部の平面図を示す斜視図である。
【図３】    建物内レイアウト設計用具をカラーコピー機でカラーコピーして設計図面を作成する様子を示す斜視図である。
【図４】    表面に室内設備機材の寸法が記載された磁性シートを示す斜視図である。
【符号の説明】
１０        建物内レイアウト設計用具
１１        板状体
１２        平面図
１３        磁性シート
１４        設計図面
【図１】
0003694810.tif 000002
【図２】
0003694810.tif 000003
【図３】
0003694810.tif 000004
【図４】
0003694810.tif 000005